Podtech/llm-jp-corpus-v4-ja_patent huggingface dataset:
(57)【要約】      （修正有）【課題】短くなっても鉛筆本来の、若しくはそれ以上の使用感を維持しつつ、限りなく芯の終わりまで使用することが出来、且つ、繰り返し使用が可能であること。【解決手段】鉛筆を支持する鉛筆延長器具は長さ約１６ｃｍ、直径約１，４ｃｍの木製の円柱形状で、その両端若しくは一端に鉛筆を差し込む穴を、円柱の中心に向かい、緩やかなすり鉢状に約３ｃｍ穿つ。当該差し込む穴を両端に設けた場合には、鉛筆と色鉛筆を組み合わせると更に利便性が増す。また、木製の特徴である鉛筆と当該鉛筆延長器具との弾性を利用した摩擦抵抗により双方を固定する。当該鉛筆延長器具が木製であることから、使用者自らが削彫器具を用い、その使用感を容易に改善加工することが可能であり、更に、当該鉛筆延長器具と鉛筆とを一体に削ることが出来るので、当該鉛筆をほぼ完全に使い切ることが可能となる。【選択図】図１
2012000968.tif 000002
【特許請求の範囲】
【請求項１】
木製、長さ約１６ｃｍ、直径約１，４ｃｍの円柱形状とし、その両端若しくは一端に、円柱の中心に向かい、緩やかなすり鉢状に約３ｃｍの深さで穴があり、その穴に当該鉛筆を挿入し使用するものである。
【請求項２】
請求項１に示した形状は概ねであり、曲がり、ひねり、凹凸等、自然木の風合いをそのまま生かせることを特徴とする。
【請求項３】
当該鉛筆延長器具は、鉛筆の交換が可能であり、繰り返し使用できることを特徴とする。
【請求項４】
筆記以外の時は、鉛筆先端芯側を当該鉛筆延長器具に挿入し、芯折れ防止効果を有する事を特徴とする。
【請求項５】
当該鉛筆延長器具は、本体を含め持ち手部分など、当該鉛筆延長器具使用者が、自身の使用感に、より適合するよう、鉛筆をナイフで削るがごとく加工が容易であることを特徴とする。
【請求項６】
当該鉛筆延長器具に、鉛筆を挿入時、その密着面に、接着剤を使用することで、より安定した固定感を得られ、このことにより、当該鉛筆をほぼ完全に使い切る事が出来ることを特徴とする。但し、この場合、当該鉛筆延長器具に他の鉛筆を
2012000968.tif 000006
筆挿入穴を穿つことで繰り返し使用可能であることを特徴とする。
【発明の詳細な説明】
【技術分野】
【０００１】本発明は鉛筆を最後まで快適に使い切る事を目的とする鉛筆延長器具に関する。
【背景技術】
【０００２】従来の鉛筆延長器具の一つとして、金属製の円筒形状に、はめ込み式のものがある
2012000968.tif 000003
分でない為、鉛筆と器具との一体感に乏しく、鉛筆が短くなる程揺らぎが大きくなり、ある程度の長さで事実上使用不能となった。
【発明の概要】
【発明が解決しようとする課題】
【０００３】短くなっても鉛筆本来、むしろそれ以上の使用感を維持しつつ、限りなく芯の終わりまで使用する事が出来、且つ、繰り返し使用が可能であること。
【課題を解決するための手段】
【０００４】
2012000968.tif 000004
に、円柱の中心に向い、ゆるやかなすり鉢状に約３ｃｍの深さで鉛筆を差し込む穴がある、鉛筆延長器具を提供。
【発明の効果】
【０００５】鉛筆をより短く、出来る限り最後まで使い切ることによる、省資源、環境保全などの環境問題対策、且つ、鉛筆及び、当該鉛筆延長器具を使用者自身で削ることによる、使用者の環境意識の向上。家庭の経済対策及び、物を大切に使う気持ちが養える。また、木製であることから、間伐材などを使用することにより、材料の安価且つ安定供給が可能であり、国内の環境問題対策、林業の蘇生の一端、当該鉛筆延長器具生産者の環境問題意識の向上にも繋がる。
【図面の簡単な説明】
【０００６】木製の、長さ約１６ｃｍ、直径約１，４ｃｍの円柱形状の両端に、円柱の中心に向かい緩やかなすり鉢状に約３ｃｍの深さで鉛筆を差し込む穴がある。  この穴に鉛筆を挿入し使用する。また、携帯時など、筆記以外のときは芯先端部を挿入することで芯折れ防止効果を有する。
【図１】斜視図
【図２】側面図
【発明を実施するための形態】
【０００７】長さ約１６ｃｍ、直径約１，４ｃｍの円柱を木材から削りだす。概ねこの条件を満たす枝であれば長さを揃えるだけで良い。この場合、樹皮の厚みは直径に入れず、少々の曲がり、ひねり、凹凸等は使用者の趣向なのであっても良い。この円柱の両端若しくは一端に鉛筆を差し込む穴を、円柱の中心に向かい緩やかなすり鉢状に約３ｃｍ穿つ。この穴に鉛筆を挿入し使用する。
【０００８】当該鉛筆延長器具は削彫具による加工が容易であるので、より使用者の趣向の反映が可能となる。すなわち、使用者が自身の手に合う様加工を施すことが容易に出来る。携帯時等は、鉛筆芯先端部を内側として挿入し、芯折れ防止の効果を有する。また、当該鉛筆の削りは、ナイフ等を使用の手作業のみとなるが、挿入時、鉛筆と延長器具の接合部分に接着剤を使用する事で、固定強度が増し、この時、当該鉛筆と当該鉛筆延長器具はまさに一体化したと言え、当該鉛筆延長器具も木製で、削彫可能な為、より、当該鉛筆の芯最終部位までの削り、使用が可能となる。この時、当該鉛筆延長器具は鉛筆の交換不能となるが、当該鉛筆使用後、同様の鉛筆挿入穴を穿つことで、当該鉛筆延長器具がその利用の目的を果たしうる長さを保つ限り、繰り返しの使用が可能である。
【産業上の利用可能性】
【０００９】省資源環境対策として、また、経済対策として、誰もが身近にすぐに取組め、快適且つスマートであり、学生を始め、全世代に受け入れられるものであり、その生産についても、原材料の調達、製作加工が容易であり、また、国内の間伐材を利用する事で、停滞気味な国内林業の蘇生の一端にも繋がり、原材料の需給もより安定し、
2012000968.tif 000005
業的発展が望めるものである。
【図１】
2012000968.tif 000007
【図２】
2012000968.tif 000008
(57)【要約】【課題】従来のホッチキスは、手前に厚みや太さを有する物の奥へは、構造上、接着不可能であった。本案は、その欠点を解消するために工夫を加えたものであり、従来のホッチキスの利便さを損なう事無く、手前に厚みや太さを有する物の奥へも接着可能とし、多目的に利用範囲を広くした器具を提供するものである。【解決手段】ホッチキスの基台となるベースより、針を受ける部分と、アームの支点の部分に、使用針圧着及び接着時の強度に耐えうる部材にて、それぞれに高さを持たせ、中空の状態を保ちつつ、収縮自在の構造とする。又は使用目的に応じ、それぞれ２０ｍｍ前後の高さや、４５ｍｍ前後などの高さを固定式にて設ける構造とする。【選択図】図１
2012000744.tif 000002
【特許請求の範囲】
【請求項１】
従来の機能を有するホッチキスの構造を内蔵し、針を受ける部分と、挟みつけるアームの支点に、基台となるベースより、それぞれ収縮自在又は固定にて高さを設ける事によ
2012000744.tif 000003
従来不可能であった、手前に厚みや太さを有する物の奥へも接着可能とする事によって、多目的に利用範囲をひろげた、ホッチキス。
【発明の詳細な説明】
【技術分野】  本発明は、太さ厚さを有する物の奥へも、接着可能とする、ホッチキスに関するものである
【背景技術】  従来のホッチキスは、針を受ける部分と、挟みつけるアームの支点は、基台となるベース上にあり、太さ厚さを有する物の奥にはその構造上、接着不可能であった。
【発明の開示】
本発明は、針の受け部分と、挟みつけるアームの支点部分をベースより、それぞれに高さを持たせ、中空の状態を作ることによって、利用範囲の広がりを可能とするホッチキスを提供することにある。
【発明が解決しようとする課題】
ホッチキスが今日に至るまで、数々の工夫が重ねられるも、未だに厚さ太さを有する物の奥への接着は、その構造上不可能が現状であり、利用方法にも限度を有していた。本発明は、この問題点を解決する為、又、多目的に利用可能とすべく工夫されたものである。
【課題を解決する為の手段】
基台となるベースより、針の受け部分と、アームの支点部分を，使用針圧着及び接着時の強度に耐えうる部材にて、それぞれに高さを持たせ、中空の状態を保ちつつ、収縮自在の構造とする。又は使用目的によっては、それぞれ２０ｍｍ前後の高さや４５ｍｍ前後などの高さを固定にて設ける構造とする。
【図面の簡単な説明】
【図１】本発明の使用状況を示す見取り図
【符号の説明】Ａ  本発明の特徴である  ベースよりの高さ
Ｂ  収縮自在調節具
【図１】
2012000744.tif 000004
(57)【要約】【課題】  足にぴったりフィットしたブーツ・長靴が直接手でひっぱらずに簡単に脱げ、脱いだ後のブーツの整理整頓もできる靴ベラを提供する。【解決手段】  靴ベラの先を略Ｕ字状の二股の形（１）にし、それぞれの２つの先に弾性体の滑り止め（２）を設ける。持ち手部分には、ブーツをはさめる幅の切れ込み、いわゆるクリップ部分（３）を設けることを特徴とする。【選択図】図１
2012000399.tif 000002
【特許請求の範囲】
【請求項１】
靴ベラ本体の先端を略Ｕ字状の二股の形にし、それぞれに滑り止めを設けたことを特徴とする、持ち手部分にブーツクリップの機能を持たせたブーツクリップ付きブーツ・長靴脱ぎ靴ベラ。
【発明の詳細な説明】
【技術分野】
【０００１】  本発明は、靴ベラの先を二股の形にし、２つの先に弾性体の滑り止めを設けることで、ブーツ・長靴を楽に、しかも表面を傷つけないように脱ぐことができるように工夫し、また持ち手部分にブーツクリップの機能を持たせたブーツクリップ付きブーツ・長靴脱ぎ靴ベラに関するものである。
【背景技術】
【０００２】  従来、靴を脱ぐ時は、手でブーツを引っ張り、ブーツのかかと同士をこすり合わせたりするため、靴の表面を傷めていた。また、脱いだ後も、ブーツなどが倒れ、乱雑になる場合があった。
従来の先行技術は、特開平１０−３２８０１０、特開２０００−１３５１５６、特開２０００−１６６７４０などがあった。
【発明の開示】
【発明が解決しようとする課題】
【０００３】  そのために、次のような問題点があった。
足にぴったりフィットしたブーツ・長靴は、脱ぎにくく、かかとをこすり合わせて脱ぐと表面が傷ついた。
姿勢を屈めて手で引っ張って脱ぐと、手が汚れた。
無理に力を入れて脱ぐと足がつってしまった。
脱いだ後も、ブーツなどが倒れ、乱雑になった。
本発明は、これらの問題点を解決するためになされたものである。
【課題を解決するための手段】
【０００４】  靴ベラ本体の先端を略Ｕ字状の二股の形にし、それぞれに滑り止めを設けたことを特徴とする、持ち手部分にブーツクリップの機能を持たせたブーツクリップ付きブーツ・長靴脱ぎ靴ベラ。
【発明の効果】
【０００５】  脱ぎにくい足にぴったりフィットしたブーツ・長靴でも、本発明品を使えば簡単に足からはずれる。
手で引っ張らないので、手が汚れない。
姿勢を屈めなくてよい。
無理に力を入れないので、足がつらない。
かかと同士をこすり合わせないので、靴の表面が傷つかない。
脱いだ後のブーツも倒れることなく、きちんとそろえることができる。
デパートの靴売り場で、何足もためし履きするときに大変楽である。
【発明を実施するための最良の形態】
【０００６】  発明を実施するための最良の形態について説明する。
靴ベラの先を略Ｕ字状の二股の形（１）にし、それぞれの２つの先に弾性体の滑り止め（２）を設ける。持ち手部分には、ブーツをはさめる幅の切れ込み、いわゆるクリップ部分（３）を設ける。
本発明は以上のような構成である。
これを使用するときは、靴ベラのクリップ部分（３）を握り、二股のＵ字型の所の弾性体の滑り止め（２）を、ブーツの足首部分を後ろから挟むように当てる。
足首に靴ベラの二股の部分（１）をひっかけ、下に向かって力をかけると足から靴がはずれる。二股の先に、弾性体の滑り止め（２）が付いているため、靴をしっかりと挟むことができ、靴の表面に傷が付くのを防ぐ。
脱いだ後は、クリップ部分（３）でブーツをはさみ、倒れるのを防ぐ。
また、各人靴のデザイン、幅、厚みが異なるが、足首の挟み方を深くしたり浅くしたりして調節できる。
【図面の簡単な説明】
【０００７】
【図１】  本発明の斜視図
【図２】  本発明の要部を拡大して示したＡ−Ａ断面図
【図３】  本発明の使用状態を示した斜視図
【図４】  本発明の使用状態を示した斜視図
【符号の説明】
【０００８】  １    靴ベラの先の略Ｕ字状の二股部分
２    滑り止め
３    クリップ部分
【図１】
2012000399.tif 000003
【図２】
2012000399.tif 000004
【図３】
2012000399.tif 000005
【図４】
2012000399.tif 000006
(57)【要約】【課題】髪をセットする際に、毛髪を押さえるために使ったヘアピンの形が髪に残った。【解決手段】ヘアピンのはさみ具の上下が接する部分にやわらかい素材を接着する。【選択図】図１
2012000400.tif 000002
【特許請求の範囲】
【請求項１】
毛髪に接するはさみ具の上下にやわらかい素材を接着したヘアピン。
【発明の詳細な説明】
【技術分野】
【０００１】  本発明は髪を整髪する際に、又は化粧する際に髪をまとめたり、整えたりする際に用いるヘアピンに関するものである。
【背景技術】
【０００２】  従来、髪を整える際に、髪を止める金属やプラスチック製のヘアピンを使用していた。
【先行技術文献】
【０００３】
【発明の概要】
【発明が解決しようとする課題】
【０００４】  整髪の際に従来のヘアピンを使うと、ヘアピンをはずした後にピンの形が髪型に残った。本発明はこのヘアピンの形を髪に残さないためになされたものである。
【課題を解決するための手段】
【０００５】  ２枚のヘアピンの接する部分にやわらかい素材を接着する。以上の構成よりなるヘアピンである。
【発明の効果】
【０００６】  従来、ヘアピン使用後に髪にピンの形が残ったが、２枚のピンの接する部分にやわらかい素材をあてることでピンの形が残らないように工夫されたものである。
【図面の簡単な説明】
【０００７】
【図１】本発明の斜視図
【図２】本発明の側面図
【図３】本発明の使用状態を示す斜視図
【発明を実施するための形態】
【０００８】  実施するための形態
（イ）  毛髪に接する面上部（１）にやわらかい素材を接着する。
（ロ）  毛髪に接する面下部（２）にもやわらかい素材を接着する。
本発明は以上の構造である。
本発明を使用するときは、はさみ部分（３）の部分を押さえて開き髪をはさむ。
【符号の説明】
【０００９】  （１）ヘアピン  （２）上部はさみ具  （３）下部はさみ具  （４）やわらかい素材
【図１】
2012000400.tif 000003
【図２】
2012000400.tif 000004
【図３】
2012000400.tif 000005
(57)【要約】【課題】遊技機を管理コンピュータや情報表示端末と接続する際、有線により接続が行われているため部材や工事に多大な費用が必要となり、増設や移設の際にも容易に対応できない。また、誤配線や接続不良等による事故が発生する。さらに、従来の無線ではノイズ、セキュリティなどの不安があった。【解決手段】遊技機情報とその管理コンピュータ間の情報授受を米国電気電子学会の無線技術ＩＥＥＥ８０２．１５．４を用いて接続することからなる遊技機情報管理システムである。本システムによれば配線による部材や工事費用を低減し設置の自由度を高められる。また、誤配線や接続不良等による事故も防止できる。さらに、安全かつ安価なシステム構築が可能である。【選択図】図１
2012000430.tif 000002
【特許請求の範囲】
【請求項１】
米国電気電子学会の定めた近距離無線技術ＩＥＥＥ８０２．１５．４を用いて遊技機情報を無線にて管理コンピュータや情報表示端末等と接続し管理することを特徴とする遊技機情報管理システム
【請求項２】
複数台の遊技機からの遊技機情報を米国電気電子学会の定めた近距離無線技術ＩＥＥＥ８０２．１５．４を用いて、中継装置を介さずして管理コンピュータや情報表示端末と無線による送受信手段で接続していることを特徴とする遊技機情報管理システム
【発明の詳細な説明】
【技術分野】
【０００１】本発明は、近距離無線技術であるＩＥＥＥ８０２．１５．４（プロトコルはＺｉｇＢｅｅ等）（以下、本無線システムという）を用いた遊技機情報管理システム（以下、単に本システムということもある）である。
【背景技術】
【０００２】従来、遊技機を管理コンピュータや情報表示端末等と接続する際、有線による接続が行われていたが、複雑かつ大量の配線を必要とするため誤配線やそれに伴う事故が多いため光ケーブルで配線を簡素化する提案がなされている（特許文献１）。
一つのホール内の遊技機台数が増加すると例え光ケーブルであっても有線配線では配線が複雑となるため無線方式による接続方式も提案されている（特許文献２）。
【先行技術文献】
【特許文献】
【０００３】
【特許文献１】特許公開２００３−０１０４９４号公報
【特許文献２】特許公開２００３−３３４３６８号公報
【発明の概要】
【発明が解決しようとする課題】
【０００４】有線での配線による接続では部材や工事に多大な費用が必要となり、増設や移設の際にも容易に対応できない。また、誤配線や接続不良などによる事故が発生する。
無線の場合でもコストの面で実現が困難であった。
また、遊技場は多くのノイズが発生する為にデータのエラーが心配されると同時に外部より意図的にデータを読み取る等のセキュリティの面で不安が有る。【０００５】  本発明は、上述の課題を解決するために、特定の近距離無線技術を用いて無線化システムを構築することにより、配線による部材や工事費用を低減し、設置の自由度を高め、さらに誤配線や接続不良等による事故を防止すると共に、無線システムの欠点である安全性確保とノイズの排除を目的としている。
【課題を解決するための手段】
【０００６】  本発明は、米国電気電子学会が定めた近距離無線技術をＩＥＥＥ８０２．１５．４（プロトコルはＺｉｇＢｅｅ等）（以下本無線システムという）を用いて遊技機情報を無線にて管理コンピュータ又は情報表示端末と接続し、管理する事からなる遊技機情報管理システムである。【０００６】  本発明は、一つのホールでの設置台数が平均で５００台にも及ぶとされている数多い遊技機からの遊技機情報を中継装置を介さずして主制御装置である管理コンピュータや情報表示端末と本無線システムを用いて送受信接続させ、遊技機情報を管理するシステムである。遊技機情報には例えば玉切れ情報、大当たり情報、確率変動情報など各種のものが含まれる。【０００７】  本無線システムは、米国電気電子学会が通信技術者用に定めた近距離無線技術であるが遊技機メーカーや填補設備にかかわる業種では殆ど知られていない無線技術である。本無線システムではハードウェアー、ソフトウェアの両方で暗号化等の対策が取れるのでセキュリティ確保が容易に出来、さらにソフトウェアの書換え・暗号化により一層のセキュリティ強化が可能となる。また本無線システムの利用により、各機器を安全かつ安価に接続することができる。
【発明の効果】
【０００８】本発明によれば、遊技機設置の際の配線による部材や工事費用のコストが低減でき、設置の自由度を高め増設や移設を容易に行うことができる。
また、誤配線や接触不良等の事故を防止することができる。
さらに、安全かつ安価で省電力のシステムを構築することができる。
【図面の簡単な説明】
【０００９】
【図１】図１は  本遊技機情報管理システムのシステム構成例を示す。
【発明を実施するための形態】
【００１０】遊技機側からの情報の送信に限らず、管理コンピュータ側からの情報の送信も可能であるため、管理コンピュータから遊技機及び表示端末等の制御を行うことができる。
送受信データは遊技機情報に限らず、ニュースや広告など様々な情報を利用可能であり、端末は従業員用のリモコン端末などへの応用も可能である。
【００１１】図１は本システムのシステム構成例を示す。
本システムは遊技機１、情報表示端末２、管理コンピュータ３及び、本無線システムの送受信ユニット４から構成される。
本システムを用いることによって、例えば、遊技機から稼動状態や特賞情報などを取得し、管理コンピュータにて集計を行い、遊技機ごとの集計情報や広告などを情報表示端末へ表示させるなどの使い方が考えられる。
【００１２】遊技機情報は遊技機からリアルタイムに情報表示端末へ送信され表示を行い、一定周期ごとに情報表示端末から管理コンピュータへ送信される。
管理コンピュータは受信した遊技機情報の蓄積、集計等の管理を行う。
【００１３】また、管理コンピュータから情報表示端末に対し、表示データの送信や表示項目等の制御を行う。
【産業上の利用可能性】
【００１４】本無線システムではスター、ツリー、メッシュのネットワーク・トポロジーがサポートされているため、用途に合わせて様々なシステム構成を構築することができる。
また、低消費電力で安価な送受信ユニットを作成可能である。
【符号の説明】
【００１５】１．．．遊技機
２．．．情報表示端末
３．．．管理コンピュータ
４．．．本無線システム送受信ユニット
【図１】
2012000430.tif 000003
(57)【要約】【課題】牛乳パックをリサイクルのためハサミで開こうとすると、奥行きや底面があり、また紙が厚いのでゆがみやすく切りにくい。カッターも力がいり、ゆがみやすく切りにくい。  本発明は、牛乳パックなどを開いてリサイクルするときなどのための箱開封カッターを提供する。【解決手段】従来のカッターナイフの持ち手の刃と反対の側面に、厚みが二段階であるガイド板をスライド式に設けたことを特徴とする箱開封カッター。【選択図】図４
2012000427.tif 000002
【特許請求の範囲】
【請求項１】
カッター主体の刃と反対の側面に、厚みが二段階であるガイド板を、スライド式で出し入れできるように設けたことを特徴とする箱開封カッター。
【発明の詳細な説明】
【技術分野】
【０００１】  本発明は、牛乳パックやその他箱を開くための、カッターに関するものである。
【背景技術】
【０００２】  従来、牛乳パックや箱を開いてリサイクルするためには、主にハサミで切り開くか、カッターナイフで切っていた。
なお、Ｔ字型の二股部に刃が設けてある解体用カッター（特許文献１参照）、角辺誘導部がＶ字状の切れ込みをなしている切り開きカッター（特許文献２参照）、刃の先に抜け止め部材がついている解体用ナイフ（特許文献３参照）、Ｌ字型あて板がついている切り開き器具（特許文献４参照）が知られている。
【先行技術文献】
【０００３】
【特許文献１】  特開２００４−２５５１４８号公報
【特許文献２】  特開２００４−１８１１７５号公報
【特許文献３】  特開２０００−２２９１８２号公報
【特許文献４】  特開２０００−０６１１７８号公報
【発明の概要】
【発明が解決しようとする課題】
【０００４】  牛乳パックなどをリサイクルのためハサミで開こうとすると、奥行きや底面があり、また紙が厚いのでゆがみやすく切りにくかった。また、カッターでも力がいり、ゆがみやすく切りにくかった。
本発明が解決しようとする課題は、簡単にスピーディーに切り口もより美しく切ることのできる箱開封カッターを提供することである。
【課題を解決するための手段】
【０００５】  カッター主体１の持ち手の刃３とは反対の側面に、厚みが二段階であるガイド板８，９となるものを刃３と同様にスライド式に設けたことである。
【発明の効果】
【０００６】  従来やりにくかった牛乳パックなどを開く作業を、本発明により、ガイド板を本体からスライドして使用することで、簡単にスピーディーに切り口もより美しく切ることができる。
本発明は、一つのガイド板の厚みが二段階になっており、切るものの厚みにあわすことができ、また収納時は従来のカッターナイフとして利用できる。
【図面の簡単な説明】
【０００７】
【図１】本発明の箱開封カッターを示す斜視図である
【図２】本発明の箱開封カッターを裏面より示す斜視図である
【図３】本発明の箱開封カッターの段ボールなど厚みのあるものを切るときの使用可能状態を示す斜視図である
【図４】本発明の箱開封カッターの牛乳パックなどを切るときの使用可能状態を示す斜視図である
【発明を実施するための形態】
【０００８】以下、本発明の実施形態を図面に基づいて説明する。
カッター主体１の一方の面にカッターの刃３を収納し、又、送り出すための溝４を設ける。この溝４は、刃３をスライドさせた場合、その移動を抑制するため、波線型形状５を設けてある。スライダー２には、刃３の端部を保持してあり、自在に刃３を移動することができる。（図１）
カッター主体１の刃３が収納してある側面の反対の面に、ガイド板８，９を収納し、又、送り出すための溝７を設ける。この溝７は、ガイド板８，９をスライドさせた場合、その移動を抑制するため、波線型形状５を設けてある。スライダー６には、ガイド板８，９の端部を保持してあり、自在にガイド板８，９を移動することができる。（図２）
本発明を使用する時は、カッター主体１より、刃３と裏面のガイド板８のみの部分を押し出し、段ボール箱などを切る。カット時はガイド板８が、切断される段ボール箱などの側面に接し、刃３を誘導するので、切り口はゆがまず、簡単にスピーディーに、かつ安全に切ることができる。（図３）
本発明を使用する時は、カッター主体１より、刃３と裏面のガイド板８，９をスライドして押し出し、牛乳パック等を開封する。開封時はガイド板９が、切断される牛乳パックなどの側面に接し、刃３を誘導するので、切り口はゆがまず、簡単にスピーディーに、かつ安全に切ることができる。（図４）
本発明は以上のような構造であるから、今、本発明の箱開封カッターを使用するには、先ず、カッター主体１を手に持ち、スライダー２を押し出し、さらに背面方向に設けたスライダー６を押し出してガイド板８又は９を突出させた後、刃３の先端を開封しようとする箱の角付近の上面に突き刺して移動させ開封する。
【０００９】  この時、ガイド板８又は９は、開封する箱の側面にそって摺動し、刃３の移動をなめらかならしめるため、切り口がゆがまずなめらかに、スピーディーかつ安全に箱は開封される。
又、この場合、刃３は箱の底に当たるまで直進することができるから、底部に達するまで完全に切り離すことができる。
【符号の説明】
【００１０】１、カッター主体
２、スライダー
３、刃
４、溝
５、波線型形状
６、スライダー
７、溝
８、ガイド板
９、ガイド板
【図１】
2012000427.tif 000003
【図２】
2012000427.tif 000004
【図３】
2012000427.tif 000005
【図４】
2012000427.tif 000006
(57)【要約】【課題】  瓶詰のジャム等の蓋の裏側にそのまま装着でき、スプーンを用意して、その都度洗浄したり、ジャム等を別の容器に移し替えたりする面倒も無く、衛生的で使い勝手が良い、磁石付スプーンを提供する。【解決手段】  弾性のあるプラスチックまたは比較的硬度の高いシリコーン樹脂製のスプーンを設け、掬い部を縦に細長く、先端から柄部に向かって、徐々に深くなる溝状にする。掬い部に連続する柄部の端部に、吸着面に対してスプーンの柄部が垂直になるように、ネオジム磁石を設ける。そのネオジム磁石に容器の蓋を挟んで吸着するように、他のネオジム磁石を片方の端部に設けたつまみ兼用磁着体を別に設ける。【選択図】図１
2012000425.tif 000002
【特許請求の範囲】
【請求項１】
弾性のあるプラスチックまたは比較的硬度の高いシリコーン樹脂製のスプーンを設け、掬い部を縦に細長く、先端から柄部に向かって、徐々に深くなる溝状にし、掬い部に連続する柄部の端部に、吸着面に対してスプーンの柄部が垂直になるように、ネオジム磁石を設け、そのネオジム磁石に容器の蓋を挟んで吸着するように、他のネオジウム磁石を片方の端部に設けたつまみ兼用磁着を別に設けたことを特徴とする磁石付スプーン。
【請求項２】
ネオジム磁石の吸着面を、薄いシリコーン製のフィルムで覆った請求項１の磁石付スプーン。
【発明の詳細な説明】
【技術分野】
【０００１】  本発明は、瓶詰のジャム等の容器の蓋の裏側に吸着して使う、磁石付スプーンに関するものである。
【背景技術】
【０００２】  従来、瓶詰のジャム等を食する際、スプーンを用意して、その都度洗浄していた。また、スプーンを収納できる容器を別に購入して、その都度ジャム等を移し替えていた。
なお、容器の蓋に貫通孔と凹部を設けて、スプーンを収納できる、密閉式収納スプーンと容器の蓋の発明が知られている（特許文献１参照）。
【先行技術文献】
【０００３】
【特許文献１】特開２００４−１６８３８３号公報
【発明の概要】
【発明が解決しようとする課題】
【０００４】  そのために、次のような問題点があった。
（イ）瓶詰のジャム等を食する際に、スプーンを収納する方法がなく、スプーンを用意し      て、その都度洗浄するのが面倒だった。
（ロ）スプーンを収納できる容器は、別に購入しなくてはならず、コストが掛かった。ま      た、その都度容器を洗浄し、ジャム等を移し替えるのが面倒だった。
本発明は、以上の問題点を解決するためになされたものである。
【課題を解決するための手段】
【０００５】  弾性のあるプラスチックまたは比較的硬度の高いシリコーン樹脂製のスプーンを設け、掬い部を縦に細長く、先端から柄部に向かって、徐々に深くなる溝状にする。掬い部に連続する柄部の端部に、吸着面に対してスプーンの柄部が垂直になるように、ネオジム磁石を設ける。そのネオジム磁石に容器の蓋を挟んで吸着するように、他のネオジム磁石を片方の端部に設けたつまみ兼用磁着体を別に設ける。
以上を特徴とする磁石付スプーンである。
【発明の効果】
【０００６】  本発明は、瓶詰のジャム等を食する際、スプーンを用意する必要がなく、その都度洗浄する面倒もありません。
また、買ってきたジャム等の容器をそのまま使用でき、別の容器を購入する必要がないのでコストが掛からず、その都度容器を洗浄してから、ジャム等を移し替える面倒もありません。
さらに、弾性のあるスプーンの掬い部は、掬いあげる動きに対して折れ曲がり難く、その反対の動きに対しては、容易に折れ曲がる形状なので、スプーンの長さよりもジャム等の容器の深さが浅い場合には、自然と掬い部が折れ曲がった状態で収納でき、蓋を開けて使用する時には、弾性によって真直ぐな元の状態に戻るので、縦に細長い形状と相まって、一本の磁石付スプーンで、深さの違ういろんな容器に対し、使用時及び非使用時の収納において、対応性優れます。
その上、吸引する二つのネオジム磁石の間に蓋を挟んで吸着するので、磁着性を有する金属の蓋に限らず、磁着性を有しないプラスチックや紙等の蓋にも装着でき、着脱も簡単にできます。
【図面の簡単な説明】
【０００７】
【図１】本発明の斜視図
【図２】本発明の一部であるつまみ兼用磁着体の斜視図
【図３】本発明の収納時における実施例を示す断面図
【図４】本発明の別の実施例を示す斜視図
【発明を実施するための形態】
【０００８】  以下、本発明の実施の形態について説明する。
（イ）弾性のあるプラスチックまたは比較的硬度の高いシリコーン樹脂製のスプーン（２      ）を設け、掬い部（４）を縦に細長く、先端から柄部（５）に向かって、徐々に深      くなる溝状にする。
（ロ）掬い部（４）とこれに連続する柄部（５）の端部に、吸着面に対してスプーン（２      ）の柄部（５）が垂直になるように、ネオジム磁石（３）を設ける。
（ハ）そのネオジム磁石（３）に容器の蓋を挟んで吸着するように、他のネオジム磁石（      ３）を片方の端部に設けたつまみ兼用磁着体（６）を別に設け、磁石付スプーン本      体（１）を形成する。
本発明は以上のような構造である。
これを使用するときは、ジャム（９）等の入った容器（８）の蓋（７）を開け、蓋（７）の裏側に、スプーン（２）の柄部（５）の端部に設けてあるネオジム磁石（３）を使って、スプーン（２）を吸着し、それと同時に、蓋（７）の表側につまみ兼用磁着体（６）の端部に設けてあるネオジム磁石（３）を使って、つまみ兼用磁着体付属（６）を吸着し、蓋（７）を間に挟むようにして、磁石付スプーン本体（１）を蓋（７）に装着する。後はジャム（９）等を食する際に、ジャム（９）等の入った容器（８）の蓋（７）を開け、その蓋（７）を手（１０）に持ったまま、スプーン（２）でジャム（９）等を掬ったり、パン等にぬったりでき、使用後はそのまま蓋（７）をしめることができます。
【符号の説明】
【０００９】１  磁石付スプーン本体
２  スプーン
３  ネオジム磁石
４  掬い部
５  柄部
６  つまみ兼用磁着体
７  蓋
８  容器
９  ジャム
１０  手
【図１】
2012000425.tif 000003
【図２】
2012000425.tif 000004
【図３】
2012000425.tif 000005
【図４】
2012000425.tif 000006
(57)【要約】【課題】  従来品の肩ベルトのずれ防止補助具は、肩当て部分が平坦なため、肩の傾斜による滑り落ちを防止できず、十分な効果が得られなかった。【解決手段】  カバンや、ショルダーバッグの肩ベルトに簡単に脱着でき、ノンスリップ加工を施した弾力性のある肩当てにより肩にフィットし、肩当て部のテーパーが首部分から肩先に至る下がり勾配の段差を解消し、肩ベルトを概ね水平な状態を保つと共に、テーパー部に設けた突起が滑り止めになり、肩ベルトのずり落ち防止に効果を発揮する【選択図】図２
2012000429.tif 000002
【特許請求の範囲】
【請求項１】
カバンや、ショルダーバッグの肩ベルトに取付けるグッズにおいて、スポンジや、ウレタン等の柔軟な素材で、表裏両面が滑り止め仕様で、平面視で山高形に形成され、表面側は平坦で、山高部中央にスナップによる肩ベルト通しを設け、裏面側には、山高部から対辺に向かいクサビ状に盛り上がるテーパーを形成し、中心付近にシリコンボール若しくはそれに準ずる突起を設けたことを特徴とする肩ベルトずれ防止グッズ。
【発明の詳細な説明】
【技術分野】
【０００１】  本発明は、肩に掛けたカバンやショルダーバッグの肩ベルトがずり落ちて、落下するのを防ぐ肩ベルトずり防止装置に関する。【０００２】  平均的な体型では、首部分から肩先にかけて、下り勾配で傾斜をしているため、ショルダーバッグ等の肩ベルトを掛け歩行すると、揺れや、振動により肩ベルトが簡単にずり下がり肩先よりショルダーバッグが落下する。
【発明の開示】
【発明が解決しようとする課題】
【０００３】  従来品の肩ベルトのずれ防止補助具は、肩に接触する部分を摩擦抵抗のある素材で形成しているが、肩当て部分が平坦なため肩の傾斜の影響を排除できず、十分な効果が得られず幾度となく落下しそうなショルダーバッグの肩ベルトを掛け直しをするなどの不便を強いられていた。
【課題を解決するための手段】
【０００４】  スポンジや、ウレタン等の柔軟な素材で、表裏両面が滑り止め仕様で、平面視で山高形に形成され、表面側は平坦で、山高部中央にスナップによる肩ベルト通しを設け、裏面側には、山高部から対辺に向かいクサビ状に盛り上がるテーパーを形成し、中心付近にシリコンボール若しくはそれに準ずる突起を設けたカバンや、ショルダーバッグの肩ベルトずれ防止グッズである。
【発明の効果】
【０００５】  この肩ベルトずれ防止グッズは、カバンや、ショルダーバッグの肩ベルトに容易に脱着でき、肩に接触する部分が断面視でクサビ形のテーパー状に形成され、首部分から肩先に至る下がり勾配の段差を解消し、肩ベルトが概ね水平な状態に保たれる他、テーパー部に設けたシリコンボールの突起が滑り止めになり、肩ベルトのずり落ち防止に効果を発揮すると共に、このシリコンボールの遠赤外線とマイナスイオン効果による肩こり解消にも役立つ。
【図面の簡単な説明】
【０００６】
【図１】  本発明の実施例を示す斜視図
【図２】  本発明の実施例を示す側面図
【図３】  本発明の別の実施例を示す斜視図
【発明を実施するための形態】
【０００７】イ）    柔軟で適度な弾力を持ち、表裏両面にノンスリップ加工を施した、スポンジや、      ウレタン類の素材を用いて平面視で山高な形状に肩当て部（１）を形成する。
ロ）    肩当て部（１）の表面側は、平坦な仕上げで、山高側中央にはショルダーバッグ      等の肩ベルト（６）を保持する周知の肩ベルト通し（３）を水平方向に設ける。尚      、この肩ベルト通し（３）は開け閉めが簡単で、バッグ等の肩ベルト（６）の脱着      も容易にできるスナップ（２）留めとする。
ハ）    肩当て部（１）の裏面側は、山高部から対辺に向かいクサビ状に盛り上がるテー      パー（４）を形成する他、中央部には、シリコンボール若しくはそれに準ずる突起      （５）を設ける。
本考案は以上のような構成である。
【実施例】
【０００８】    以下、本発明の実施の形態を図１、図２、図３、を用いて説明する。
ニ）    肩ベルト（６）が２本からなるカバン、ショルダーバッグについて、１本の肩ベ      ルト（６）を、スナップ（２）を外して開いた肩ベルト通し（３）に納め、次にス      ナップ（２）を閉じて束ねる。
ホ）    残りの一本の肩ベルト（６）を肩当て部（１）の中央部に乗せ、肩ベルト通し（      ３）と平行に並べ配置する。
ヘ）    次に、肩当て部（１）のテーパー（４）の盛り上がり側を肩先に向け、並べ併せ      た２本の肩ベルト（６）を、肩当て部（１）と一緒に肩へ乗せ掛ける。
ト）    弾力性のある肩当て部（１）は肩にフィットし、裏面に形成されたテーパー（４      ）により、ほぼ水平な状態を形成する他、突起（５）により滑りを止める。これら      により肩ベルト（６）は、肩から簡単にずり落ちすることはない。又、肩に接触す      るシリコンボールの突起（５）によるマイナスイオン効果や、押圧によるピンポイ      ントマッサージ効果も期待でき好ましく、状況に応じて複数の取付けも良い。
チ）    上述ではショルダーバッグ等の肩ベルト（６）が２本組みのタイプにおける実施      例で説明をしたが、１本掛けタイプのカバンや、ショルダーバッグでも何ら問題も      ない。尚、滑り止め効果としては、前記のようにテーパー（４）部分に突起（５）      を設ける他に、波状の刻みや、凹凸に形成しても滑り止めとして同様な効果を得る      ことができる。又、肩当て部（１）の形状についても、記述する山高な形状のみな      らず、楕円形や、花柄など、ファション性に富むデザインで形成しても差し支えな      く、その他、おしゃれのために肩ベルト通し（３）の任意の位置に飾り花や、ブロ      ーチなどの装飾品を取付けても楽しい。
【符号の説明】
【０００９】１  肩当て部
２  スナップ
３  肩ベルト通し
４  テーパー
５  突起
６  肩ベルト
【図１】
2012000429.tif 000003
【図２】
2012000429.tif 000004
【図３】
2012000429.tif 000005
(57)【要約】      （修正有）【課題】親が子に向かい合って磨く際、奥歯が磨きやすいように、歯ブラシの柄の頚部に角度を設けた奥歯専用の仕上げ磨き歯ブラシを提供する。【解決手段】把持部（１）を正面にして、頚部（２）を左へ３０°前後傾斜させたものを１本、頚部（２）を左へ３０°前後傾斜させたものを１本、計２本を一対とした仕上げ磨き歯ブラシ。【選択図】図１
2012000428.tif 000002
【特許請求の範囲】
【請求項１】
歯ブラシの把持部（１）を正面にして、頚部（２）を左へ３０°前後傾斜させたものを１本、頚部（２）を右へ３０°前後傾斜させたものを１本、計２本を一体とした仕上げ磨き歯ブラシ。
【発明の詳細な説明】
【技術分野】
【０００１】この発明は、歯ブラシの柄に角度を持たせることにより、頬粘膜を過度に引っ張ることなく、乳幼児や要介護者に痛みを感じさせずに、臼歯部（奥歯）を磨くための仕上げ磨き歯ブラシ  奥歯専用に関するものである。
【背景技術】
【０００２】従来、毛先を人側に向けた側を正面観とした場合、歯ブラシの柄の角度は０°であった。この場合、口腔内に挿入し、臼歯部の頬側または舌側を磨く際、歯牙に当たる角度は、歯ブラシの毛先と歯が平行とならず、最も汚れの残りやすい歯と歯肉の境目を磨くことが困難であった。その部位を磨こうとすると、必然的に歯ブラシの柄を歯と平行にせざるを得ず、結果として、口角部や口唇部粘膜を柄で押さえつける結果となる。そのような刺激は苦痛なものであり、歯磨き自体を嫌がる傾向にもつながる。そこで、正面観にて歯ブラシの頚部に適正な角度を持たせることにより、柄の最も接触する口角部、口唇部を避ける歯ブラシを発明した。
【発明の開示】
【発明が解決しようとする課題】
【０００３】これは次のような欠点があった。乳幼児から児童期において、本人のみで歯磨きを効率的かつ、適確に行なうことは困難である。その際、本人以外の大人が、歯磨きを行なうこととなるが、従来の歯ブラシでは様々な問題があった。それらの問題は双方の負担ともなりかねないものであり、これから歯磨きを習慣化させなければならない乳幼児が、歯を磨く行為自体を嫌うことにも成り得る重大な問題である。中でも、歯ブラシを口腔内に挿入した時の柄が口角や口唇粘膜や磨く対象となる歯牙以外の歯牙に当たる痛みや不快感は問題である。術者や親が乳幼児の歯牙の頬側に正しい角度で接触させようとすると、直視できるように口角や口唇を引っ張ってしまうことが多く、必然的に口角や口唇に歯ブラシの柄が当たることになる。歯牙の下側を磨く際には、磨きたい歯の手前の歯が邪魔になり、歯ブラシが磨きたい歯より手前の歯牙に当たってしまう。また、術者が要介護者の臼歯部を磨く時も、頬粘膜や口角を引っ張って痛みを伴わせることがあった。それらは、臼歯部の生えている角度と歯ブラシの角度が不一致であるため、起こる現象であった。そこで、乳幼児から児童期にかけての歯磨きや要介護者の臼歯部を磨く時において、本発明は以上のような欠点をなくすために効率的かつ適確に口角や口唇に柄の当たる、痛みを伴わない歯ブラシの発明に至ったものである。
【課題を解決するための手段】
【０００４】歯ブラシの柄の頚部（２）の角度は３０°前後の傾斜を持つ形状とする。さらに、全ての臼歯に対応する為に、正面観の歯ブラシの柄の頚部（２）は、時計回りに３０°前後の角度の形状のものと、反時計回りに３０°前後の角度の形状のものを使用する。時計回りに３０°前後傾斜させた柄の歯ブラシ（図１）は、下顎臼歯部においては、乳幼児、要介護者の右側頬側及び右側舌側に、上顎臼歯部においては、乳幼児、要介護者の左側頬側及び左側舌側に、反時計回りに３０°前後傾斜させた柄の歯ブラシ（図２）は、下顎臼歯部おいては、乳幼児、要介護者の左側頬側及び左側舌側に、上顎臼歯部においては、乳幼児、要介護者の右側頬側及び右側舌側に使用する。本発明は、以上の構成よりなる仕上げ磨き歯ブラシ  奥歯専用である。
【発明の効果】
【０００５】歯ブラシの柄の角度を変えることにより、頬粘膜や口角への刺激が減り、痛みを伴わず臼歯部が確実に磨ける。子供も仕上げ磨きの際、寝かせる必要もなく向かい合って磨ける。また、力が加わらないため歯茎を傷めず、子供が痛がらないのが特徴である。
【発明を実施するための最良の形態】
【０００６】以下、本発明を実施するための最良の形態について説明する。歯ブラシの柄の頚部（２）の角度を変えることにより、口角が自然に広がる。時計回りに３０°前後傾斜させた柄の歯ブラシ（図１）は、下顎臼歯部においては乳幼児、要介護者の右側頬側及び右側舌側に、上顎臼歯部においては、乳幼児、要介護者の左側頬側及び左側舌側、反時計回りに３０°前後傾斜させた柄の歯ブラシ（図２）は、下顎臼歯部においては、乳幼児、要介護者の左側頬側及び左側舌側に使用し、上顎臼歯部においては、乳幼児、要介護者の右側頬側及び右側舌側に使用する。本発明は以上のような構造である。これを使用する時は、２本１組として  左右の奥歯を磨けば良い。
【図面の簡単な説明】
【０００７】
【図１】本発明の正面図である。（時計回り３０°前後傾斜）
【図２】本発明の正面図である。（反時計回り３０°前後傾斜）
【符号の説明】
【０００８】１  把持部
２  頚部
３  ブラシ
【図１】
2012000428.tif 000003
【図２】
2012000428.tif 000004
(57)【要約】      （修正有）【課題】複数の釘やねじ等を使用する際、その都度道具箱から一本ずつ取り出す必要がなく、また、片方の手を自由に使えて、安全で効率良く作業ができ、さらに、小さなねじやナット等も無くす心配のない、磁石付指輪状の工具を提供する。【解決手段】弾性のあるプラスチック製で、一か所が分断されたリング状の指輪４を設け、指輪４の外周の適所に円形のネオジム磁石２を設ける。ネオジム磁石２を底面にして、すり鉢状になるように、ネオジム磁石２の周囲をプラスチック板で囲み、受け皿部３を設ける。【選択図】図１
2012000426.tif 000002
【特許請求の範囲】
【請求項１】
弾性のあるプラスチック製で、一か所が分断されたリング状の指輪を設け、指輪の外周の適所に円形のネオジム磁石を設け、ネオジム磁石を底面にして、すり鉢状になるように、ネオジム磁石の周囲をプラスチック板で囲み、受け皿部を設けたことを特徴とする磁石付指輪状の工具。
【発明の詳細な説明】
【技術分野】
【０００１】  本発明は、工作をする際、複数の釘やねじ等を安全に指に吸着しておける、磁石付指輪状の工具に関するものである。
【背景技術】
【０００２】  従来、複数の釘やねじ等を使用する際、その都度道具箱から一本ずつ取り出すか、数本を片方の手に持っておくか、数本を口にくわえながら作業をしていた。
【発明の概要】
【発明が解決しようとする課題】
【０００４】  そのために、次のような問題点があった。
（イ）例えば、脚立に上って、複数の釘やねじ等を使用する際、その都度道具箱に取りに      行くのは面倒だった。
（ロ）複数の釘やねじ等を手に持つと、その手が自由に使えず、作業がし難かった。
（ハ）複数の釘やねじ等を口にくわえると、誤って口に刺すなどして危険だった。
（ニ）作業中に小さなねじやナット等を、無くしてしまいがちだった。
本発明は、以上の問題点を解決するためになされたものである。
【課題を解決するための手段】
【０００５】  弾性のあるプラスチック製で、一か所が分断されたリング状の指輪を設け、指輪の外周の適所に円形のネオジム磁石を設ける。ネオジム磁石を底面にして、すり鉢状になるように、ネオジム磁石の周囲をプラスチック板で囲み、受け皿部を設ける。
以上を特徴とする磁石付指輪状の工具である。
【発明の効果】
【０００６】  本発明は、複数の釘やねじ等を使用する際、複数の釘やねじ等を安全に指に吸着しておけるので、その都度道具箱から釘やねじ等を一本ずつ取り出す必要がありません。
また、複数の釘やねじ等を指の手の甲側に吸着しておけるので、じゃまにならず、その手を自由に使えて、足場の悪い所でも、安全に効率良く作業ができます。
さらに、釘やねじ等を受ける受け皿部が、円形のネオジム磁石を底面にした、すり鉢状なので、釘やねじ等の先端部をネオジム磁石に吸着し、頭を上にした状態で放射状に並び、身体を傷つける心配がなく、一本ずつ取りやすい。
その上、小さなねじやナット等も、ネオジム磁石に吸着しておけるので、無くしたりする心配がありません。
しかも、指輪は弾性のあるプラスチック製で、一か所が分断されているので、指の太さに関係なく簡単に装着できます。
【図面の簡単な説明】
【０００７】
【図１】本発明の斜視図
【図２】本発明の別の角度から見た斜視図
【図３】本発明の実施例を示す斜視図
【発明を実施するための形態】
【０００８】  以下、本発明の実施の形態について説明する。
（イ）弾性のあるプラスチック製で、一か所が分断されたリング状の指輪（２）を設ける      。
（ロ）指輪（２）の外周の適所に円形のネオジム磁石（３）を設ける。
（ハ）ネオジム磁石（３）を底面にして、すり鉢状になるように、ネオジム磁石（３）の      周囲をプラスチック板で囲み、受け皿部（４）を設ける。
本発明は以上のような構造で、これを使用するときは、受け皿部（４）が手（５）の甲側にくるように、磁石付指輪状の工具本体（１）を指に装着する。複数の釘（６）やねじ等の先端部を、ネオジム磁石（３）に吸着して、頭を上にした状態で、受け皿部（４）に放射状に並べていきます。後は作業をする際に、受け皿部（４）に並んでいる、複数の釘（６）やねじ等を一本ずつ取って作業できるので、作業効率が良くなる。
【符号の説明】
【０００９】１  磁石付指輪状の工具本体
２  指輪
３  ネオジム磁石
４  受け皿部
５  手
６  釘
【図１】
2012000426.tif 000003
【図２】
2012000426.tif 000004
【図３】
2012000426.tif 000005
(57)【要約】【課題】  椅子に座る姿勢は、左右坐骨の先端の２か所に体重がかかり、長時間経過すると、血行障害により、疲れが発生する。【解決手段】  椅子の座面にかかる体重を、左右の太ももと左右の腰の４箇所を支えることで、体重を分散させる。また、坐骨をクッションの間に挟むことで坐骨先端に体重が集中することによる血行障害を緩和する。【選択図】図１
2012000401.tif 000002
【特許請求の範囲】
【請求項１】
椅子の座面と体の接する部分が、太ももと腰の一部であるため、坐骨の先端に体重がかからないことを特徴とする椅子。
【発明の詳細な説明】
【技術分野】
【０００１】  長時間椅子に座っていると疲れが発生する。これは体の一部分の圧迫による血行障害によるストレスが原因である。その対策として、人間工学に基づいた疲れの少ない各種の椅子が考案されている。
【背景技術】
【０００２】  血行障害を緩和する椅子として、クッションの形状，質が改良されている。
【発明の概要】
【発明が解決しようとする課題】
【０００３】  椅子に座る姿勢では、左右坐骨の先端の２か所に体重がかかり、長時間経過すると、血行障害により、疲れが発生する。運動しない静止した状態でも、一定の箇所に体重がかかり続けると血行障害によるストレスで疲労を感じることの対策として、人間工学に基づく座布団の開発、椅子のクッションの改良で体重を分散させる製品が開発されている。しかしこのような製品も長時間体重をかけ続けることにより座面が圧縮されその効果が少なくなっていく。
【課題を解決するための手段】
【０００４】  椅子に座っている時、上体の体重が坐骨の先端に集中することの対策として、腰の一部と太ももで体重を支える
【発明の効果】
【０００５】  上体の体重が腰と太ももに分散し、坐骨の先端はクッションの間に入るため、坐骨の先端付近の血行障害が緩和される。
【図面の簡単な説明】
【０００６】
【図１】  本発明の斜視図
【図２】  本発明の断面図
【発明を実施するための形態】
【０００７】  図１のように、４個のクッションが左右の太ももと左右の腰の４箇所を支えることで、体重を分散させる。また図２のように、坐骨をクッションＡ，Ｂの間に挟むことで坐骨先端に体重が集中することによる血行障害を緩和する。
また、図１，２のクッションＢは、腰がより広い面で体重を支えるように、角度板３により約３０度の角度がつけており、結果坐骨がクッションＡと２クッションＢのあいだに入り込み易いような構造になっている。
【符号の説明】
【０００８】１  クッションＡ
２  クッションＢ
３  角度板
４  内板  Ａ
５  内板  Ｂ
６  骨盤
７  坐骨
【図１】
2012000401.tif 000003
【図２】
2012000401.tif 000004